(57)【要約】【課題】  飛ばない領域のゴルフクラブを追加して、攻略範囲を拡大する。【解決手段】  ロフト角度６０°、クラブ長さ３５±０．５インチ、ヘッド本体１のソール面を接地させたヘッド本体１のフェース面２のリーディングエッジ３が地上に置かれたボール４との幾何学的接触点又はその下方に設定され、リーディングエッジ３に連成して後方下部に設けられたフィレット部８の先端とソール面５との間が下方に凹となる曲面Ｍで形成されたヘッドを備えたゴルフクラブを最小飛距離クラブとし、この最小飛距離クラブとＰＷとの各飛距離を計測し、両者のロフト角度と飛距離の差を求めグラフ化し、ゴルファーの必要に応じてグラフ上で両者間をいくつかに等分した飛距離を出せる１又は２以上のゴルフクラブをセットに加える。【選択図】  図３
2007029257.tif 000002
【特許請求の範囲】
【請求項１】
ピッチングウェッジ（ＰＷ）からの番手間の飛距離の差が略等しくなるように複数本のゴルフクラブを選択し、このＰＷよりも飛ばない領域のゴルフクラブを２本以上加えたアイアンゴルフクラブのセット方法であって、
ロフト角度６０°、クラブ長さ３５±０．５インチ、ヘッド本体のソール面を接地させたヘッド本体のフェース面のリーディングエッジが地上に置かれたボールとの幾何学的接触点又はその下方に設定され、リーディングエッジに連成して後方下部に設けられたフィレット部の先端とソール面との間が下方に凹となる曲面で形成されたヘッドを備えたゴルフクラブを最小飛距離クラブとし、
この最小飛距離クラブとＰＷとの各飛距離を計測し、両者のロフト角度と飛距離の差を求めグラフ化し、
ゴルファーの必要に応じて前記グラフ上で両者間をいくつかに等分した飛距離を出せる１又は２以上のゴルフクラブをセットに加えることを特徴とするアイアンゴルフクラブのセット方法。
【請求項２】
前記最小飛距離クラブとＰＷとの間の飛距離をフルショットで出す１又は２以上のゴルフクラブのヘッド形状を最小飛距離クラブと同じにしたことを特徴とする請求項１記載のアイアンゴルフクラブのセット方法。
【発明の詳細な説明】
【技術分野】
【０００１】
本発明は、アイアンゴルフクラブのセット方法、特にピッチングウェッジ（ＰＷ）よりもロフト角度の大きいクラブであって、ロフト角度４５°以上のアイアンクラブを２本以上加えたセット方法に関する。
【背景技術】
【０００２】
最近のアベレージゴルファー向けのアイアンセットは、＃５〜ＰＷまでの６本セットが主流になりつつある。アイアンゴルフクラブの番手間の飛距離の差は、１０ヤード前後になるように設計されている。従来は、＃３（３番アイアン）〜ＰＷの８本セットが一般的であったが、図４に示すグラフのように、上級者であれば、＃３〜＃５（５番アイアン）の各番手間の飛距離の差も設計通りに打てるが、中級者では＃３と＃４（４番アイアン）との間で設計通りの差が出ず、ヘッドスピードの遅いパワー不足の者では、＃３〜＃５との間で設計通りの差が出ず、中級者では＃４は不要であり（＃３、＃５〜ＰＷのセットの方が番手間の差が等しくなる）、パワーなしの者では＃３と＃４は不要である。中級者やパワーなしの者では、＃７、＃９、＃１１などのウッドクラブやユーティリティクラブを使用して、＃３や＃４のアイアンゴルフクラブの飛距離を補うようになってきた（特許文献１参照）。
【０００３】
上述したように、従来はパワーを必要とする飛ぶ領域での対策がメインであり、アベレージゴルファーの大半は、ロングアイアンと呼ばれる＃３や＃４のゴルフクラブは、必要がなく、ロングアイアンに求められる飛びをウッドクラブやユーティリティクラブで補うことの方がスコアアップにつながることが認知されてきたが、ＰＷよりもロフト角の大きいクラブ、いわゆる飛ばない領域（飛ぶ領域とは反対の領域）での番手間の飛距離の差を考慮したものは見当らなかった。例えば、ＰＷのフルショットで１００ヤード飛ぶゴルファーが、ＰＷで７０ヤードを打つのは、フルショットの１００ヤードを打つよりも難しい。コントロールショットでは、ボール初速やスピン量なども考慮してショットしなければならず、フルショットで攻める方が安定した飛距離と止まるボールが打ち易い。
【特許文献１】特開２００２−１７９０２号公報（第３頁、図１）
【発明の開示】
【発明が解決しようとする課題】
【０００４】
アイアンクラブセットの中で番手の小さいクラブの替りにユーティリティを入れる考え方（特許文献１）はあるが、ＰＷよりも番手が大きいゴルフクラブのフルショットで、飛ばない領域を攻めるという発想のセットは、未だ見当らなかった。
【０００５】
そこで、本発明は、飛ばない領域での番手間飛距離を等しくしたアイアンゴルフクラブを２本以上加えたアイアンゴルフクラブのセット方法を提供することを目的とする。
【課題を解決するための手段】
【０００６】
上述の目的を達成するため、この発明は、ピッチングウェッジ（ＰＷ）からの番手間の飛距離の差が略等しくなるように複数本のゴルフクラブを選択し、このＰＷよりも飛ばない領域のゴルフクラブを２本以上加えたアイアンゴルフクラブのセット方法であって、ロフト角度６０°、クラブ長さ３５±０．５インチ、ヘッド本体のソール面を接地させたヘッド本体のフェース面のリーディングエッジが地上に置かれたボールとの幾何学的接触点又はその下方に設定され、リーディングエッジに連成して後方下部に設けられたフィレット部の先端とソール面との間が下方に凹となる曲面で形成されたヘッドを備えたゴルフクラブを最小飛距離クラブとし、この最小飛距離クラブとＰＷとの各飛距離を計測し、両者のロフト角度と飛距離の差を求めグラフ化し、ゴルファーの必要に応じて前記グラフ上で両者間をいくつかに等分した飛距離を出せる１又は２以上のゴルフクラブをセットに加えるものである。
【発明の効果】
【０００７】
本発明によれば、ピッチングウェッジ（ＰＷ）からの番手間の飛距離の差が略等しくなるように複数本のゴルフクラブを選択し、このＰＷよりも飛ばない領域のゴルフクラブを２本以上加えたアイアンゴルフクラブのセット方法であって、ロフト角度６０°、クラブ長さ３５±０．５インチ、ヘッド本体のソール面を接地させたヘッド本体のフェース面のリーディングエッジが地上に置かれたボールとの幾何学的接触点又はその下方に設定され、リーディングエッジに連成して後方下部に設けられたフィレット部の先端とソール面との間が下方に凹となる曲面で形成されたヘッドを備えたゴルフクラブを最小飛距離クラブとし、この最小飛距離クラブとＰＷとの各飛距離を計測し、両者のロフト角度と飛距離の差を求めグラフ化し、ゴルファーの必要に応じて前記グラフ上で両者間をいくつかに等分した飛距離を出せる１又は２以上のゴルフクラブをセットに加えたので、飛ばない領域でのフルショットによる安定した飛距離を得ることができ、スコアメークにつながる。
【発明を実施するための最良の形態】
【０００８】
以下に、本発明の好適な実施形態について、図面を参照にして説明する。
【０００９】
図１に示すグラフは、平均的なアベレージゴルファーの場合のアイアンゴルフクラブセットの攻略範囲を示すとともに、ＰＷよりも飛ばない領域でのゴルフクラブの追加、即ち「範囲拡大」として「ＥＸＴ１」と「ＥＸＴ２」の２本のゴルフクラブを追加した例を示す。この「ＥＸＴ１」と「ＥＸＴ２」という２本のゴルフクラブは、フルショットして、安定して、飛ばないという条件を備えたものである。飛ばないクラブの設計に関しては、ボール初速とヘッド重量の関係式：
Ｖｂ＝〔（１＋ｅ）／（１＋ｍｂ／Ｍｈ）〕・Ｖｈ・cos（ロフト角度）
ｅ；反発係数
Ｍｈ；ヘッド重量
Ｖｈ；打撃速度
反発係数ｅが小さい程ボール初速は遅く、ヘッド重量Ｍｈが小さい程ボール初速が遅い。また、打撃速度Ｖｈが小さい程、ロフト角度が大きい程ボール初速が遅い。飛ばないクラブでは、ボール初速を抑えることが重要となる。
【００１０】
以下に、ボール初速を抑える上記４つの手段について、その実行可能性を検討してみる。第１の反発係数の低減は、種々の衝撃吸収材料や粘土のような塑性材料など材料面からのアプローチが考えられる。第２のヘッド重量低減は、ボール初速低下の効果が期待できる一方、発明者の過去の経験から、ゴルファーが最も敏感に違いを感じ取り、敬遠される懸念がある。なぜなら、ヘッド重量は、スイングバランスに大きな影響を及ぼすためであり、スイングが不安定になり、本発明の目的である安定して飛ばないクラブには不向きである。第３の打撃速度の低減には、クラブ長さを短くすることが従来からの方法であるが、現在のもっとも短いクラブより短くすると、スイング面が変わり、これもスイングが不安定になり、本発明の目的である安定して飛ばないクラブには不向きである。第４のロフト角度の増大は、フェースとソールの作る角度が鋭角になり、ヘッドのリーディングエッジが地面にめり込みザックリとなったり、リーディングエッジの突端でボールを打ってしまうトップの両方の対策を講じる必要がある。ボールとクラブフェースの接触点について、ロフト角度の大きいウェッジでは、ボール接触点が低くなり、バウンス角の大きいウェッジでは、リーディングエッジが高くなる。従って、フェアウェイ上のボールをボール接触点が低く、リーディングが高いウェッジで打つ場合には、トップ打ちになる懸念が否めない。それを防ぐために、リーディングエッジ及びソール形状として、本願発明者は、次のような工夫をした。即ち、図２に示すような形状とした。図２は、フェース面２を打球のターゲット方向に垂直に合わせて地面上に置かれたボール４を規定のロフト角度６０°で打撃する際のフェース面２中央における断面図を示すものである。ヘッド本体１は、フェース背面にキャビティのない形状で材質を銅合金とされるが、リーディングエッジ３付近のみをステンレス製として耐久性を向上させる構造としてもよい。なお、ヘッド本体１は、クラブヘッドからシャフトを取り付けるホーゼルを除いた部分とする。フェース面２の下端であるリーディングエッジ３は、正常な打撃が行なわれた際に、フェース面２が正規のロフト角度（６０°）で地面上のボール４と正接して当たる点として定義される幾何学的接触点の高さ（Ｈ）よりフェース面に沿って２ｍｍ程下方に延長された位置（Ｈ´）に設けられている。即ち、フェース面２を正規のロフト角度（θ＝６０°）に合わせてソール面５を接地させた状態において、フェース面２が地面上に置かれたボール４と正接する位置（即ち、Ｈ）を求めてこの点よりフェース面２に沿ってさらに２ｍｍ程下方に延長された位置（Ｈ´）にリーディングエッジ３が設定されている。なお、このフェース面２の延長される長さは後記するフィレット部８の下端（Ａ）が地面と干渉しない範囲内に止められる。
【００１１】
このリーディングエッジ３を円心として半径ほぼ２ｍｍの円弧６を描き、この円弧６と前記リーディングエッジ３でのフェース面２に垂直な線分７との交点を求め、この点をフィレット部８の下端（Ａ）とする。ここで、前記下端（Ａ）の位置は、本例の位置に拘わらず、前記円弧６上でその円心（即ち、Ｈ´点）の鉛直下から後方に９０°の範囲内で自由に設定することができる。また、フィレット部８の下端（Ａ）と前記リーディングエッジ３（Ｈ´）との間の部分は、半径２ｍｍ以上の円弧または直線で連絡して形成される（本例では、直線とされている）。２ｍｍ以上の大きな円弧または直線とした理由は、フィレット部８が鋭角状となったり、厚みが細くなって強度が低下したり、また前記の「ザックリ」現象が発生するのを防止するためである。
【００１２】
一方、ソール面５は次に記載する設計手順にて形成される。フェース面２から垂直後方にヘッド厚さの最大値（Ｔ）に等しい距離にフェース面２と平行な線分ｉを描きこの線分上にソール面５の末尾Ｃ点が配置されるとする。他方、フェース面２から垂直後方２ｍｍの位置にフェース面２と平行に線分ｋを描きこの線分上にＢ点を配置するとする。次に、前記線分ｉ上の一点（仮のＣ点）から規定のバウンス角度（本例では、１０°）で線分ｋに到達する線分ｊを設ける。線分ｊが線分ｋと交わる点は仮のＢ点とされる。次に、線分ｊを前記仮のＢ点及びＣ点を結ぶ弦として円弧を想定する。この円弧は、仮のＣ点を線分ｉ上で移動することで線分ｉ及び線分ｋに沿って上下に移動することとなるが、この円弧が地面と接する位置に固定した場合に設定されるＢ点、Ｃ点を真のＢ点、Ｃ点とし、この時の円弧をソール半径（Ｒ）とする。また、この時のＢ点、Ｃ点間の円弧が作る曲面がソール面５とされる。
【００１３】
次に、前記線分ｋとソール面５に接するように下方に凹となる円弧で曲面（Ｍ）が形成され、また、該曲面（Ｍ）が前記線分ｋと接する点からフィレット部８の下端（Ａ）との間が直線で連結されてフィレット部８の先端部分が形成される。なお、前記線分ｋがフェース面２から垂直後方にほぼ２ｍｍの位置に設定され、しかも前記下方に凹な曲面（Ｍ）が前記線分ｋに接して形成されることによって、フィレット部８の先端部分の肉厚が極端に薄くなり過ぎることが回避される。また、前記線分ｋの位置がフェース面２から遠く離れて設定され、しかも前記曲面（Ｍ）を形成する円弧の半径が大きくなり過ぎた場合には、フィレット部８が厚くなり過ぎて地面からの干渉を受け易くなり、しかも地面とボールとの間にフェース面２の下端を十分に突き出すことができなくなる。また、前記曲面（Ｍ）を形成する円弧の半径の下限は、フィレット部８の根元部分（前記Ｂ点近辺）が極端に細くならないように配慮して決められる。フィレット部８の耐久性が問題となるのを回避するためである。
【００１４】
飛ばない領域でのアイアンゴルフヘッドは、上述したように構成されているので、地上に置かれたボールが打撃された際には、たとえリーディングエッジ近傍で打撃された場合でもロフト角度通りにフェース面上で正常な打撃が実現され、従来品のように、トップ打ちのミスショットが防止される。しかも、通常はボールが芝生上に浮いていることが多いことを勘案すると、本発明のクラブヘッドによって常にフェース面の幾何学的接触点でボールを打撃することが可能となる。
【００１５】
なお、前記バウンス角度は、前記Ｂ点とＣ点間の距離の中点においてソール半径に正接する接線が地面となす角度として測定される。また、飛ばない領域で使用されるアイアンクラブは、ロフト角度は４５°以上好ましくは５０°以上とされて、前記バウンス角度は、４°以上とされる。
【００１６】
上述したような、ロフト角度６０°、クラブ長さ３５±０．５インチ、ヘッド本体１のソール面５を接地させたヘッド本体１のフェース面２のリーディングエッジ３が地上に置かれたボール４との幾何学的接触点又はその下方に設定され、リーディングエッジ３に連成して後方下部に設けられたフィレット部８の先端とソール面５との間が下方に凹となる曲面Ｍで形成されたゴルフクラブをセット中の最小飛距離クラブとした。このロフト角度６０°のクラブを「Ｗ６０」とし、他のショートアイアン（＃８，＃９）とＰＷとのつながりを次の表１のように設計した。
【００１７】
【表１】
2007029257.tif 000003
【００１８】
表１のように設計された各ゴルフクラブを「中級者」と「パワーなし」のゴルファーに試打してもらった結果を次の表２に示す。表２中の飛距離の単位は「ヤード」である。
【００１９】
【表２】
2007029257.tif 000004
【００２０】
図３に示すグラフは、表２に示す試打結果を基に、「中級者」と「パワーなし」のゴルファーが飛ばない領域で、ＰＷとＷ６０との間にセットとして追加すべきゴルフクラブ（新たに加えるクラブＸ）を示すものである。＃８〜ＰＷの各クラブ間の飛距離の差に対応すべきゴルフクラブ（ＰＷとＷ６０との間の飛距離の差を他のクラブ間、即ち＃８と＃９の間、＃９とＰＷの間の飛距離差と同じにそろえる）を追加する。
【００２１】
充分なパワーや技術がなくても、ショートアイアンは、殆どのゴルファーが設計された通りに等間隔で打つことができることは、多くのゴルファーが実感していることであり、表２及び図３からもデータとして裏付けられている。図３中、実線では、ＰＷの隣に試作クラブのＷ６０が配されているが、ＰＷとＷ６０の飛びの落差が大きく、中級者の場合には、ＰＷとＷ６０との間にＸで示される３本のクラブを、また、パワーのないゴルファーの場合には、ＰＷとＷ６０の間にＸで示される２本のクラブを新たに配すれば、図３中、点線で示されているように、等間隔の飛距離を有する新たなセット構成が可能であることがわかる。即ち、フルスイングで、安定して飛ばないクラブを見つけることができれば、現在所有のアイアンセットの飛びの領域を、より飛びの少ない領域に従来の手法、即ち、等間隔にロフト角度のクラブを図中のＸのように加えることによって、ショートアイアンより飛ばないアイアンセットを容易に構成することができる。
【００２２】
本実施例では、従来のウェッジ仕様のクラブをフルスイングした。通常、ウェッジをフルスイングすることは稀であり、しかも、６０°のロフトであったことから、２名のゴルファーが、少なからず違和感を感じている。即ち、フルショットに対して、ボールの打出し速度と弾道の勢いがないことによる感覚の不一致であり、ピンポン球を打っているような違和感らしい。従って、本発明では、官能的意味合いから、最大のロフト角度を６０°とした。
【００２３】
前記Ｗ６０（最小飛距離クラブ）とＰＷの間の飛距離を埋めるゴルフクラブは、図３に示すように、Ｗ６０とＰＷの各飛距離を実打又はゴルフクラブの飛距離測定システムによって実打計測し、両者のロフト角度と飛距離の差を求めグラフ化した後、Ｗ６０とＰＷとの間を必要に応じて等分し、アイアンゴルフクラブセットに追加する（図３の符号Ｘ）。
【００２４】
図３の符号Ｘで示すゴルフクラブのヘッド形状は、Ｗ６０と同様の形状であることが望ましい。この飛ばない領域でのゴルフクラブは、グリーン周りやバンカー内などでの比較的短距離のショットのためにロフト角度を大きく設定（４５°以上）してフェース面２でスピンを効かせて打球することが必要な場合に使用するケースが多い。上述したようなヘッド形状にすることにより、フェース面２の下端のリーディングエッジ３で直接打つ所謂トップ打ちのミスが防止され、ボールの外周にフェース面２が正接した状態で当たる前記の幾何学的接触点で常に打撃できることから、所望のスピン量でボールを高く上げて正確な飛距離と方向性とを得ることができる。
【００２５】
また、このような大きなロフト角度を採用した場合にリーディングエッジ３が鋭角となり打撃時に所謂「ダフリ」ショットが起こり易くなるのでこれを防止するために、従来より、大きなバウンス角度（４°以上）、小さなソール半径、広いソール幅が適用されており、この結果、リーディングエッジ３が地面より一段と高くなって前記のトップ打ちのミスショットが一層起こり易くなる傾向となるが、上述したようなヘッド形状を適用することによって常に幾何学的接触点より下方にリーディングエッジ３が配置されることから、トップ打ちのミスが殆ど防止され、大きなロフト角度の効果を十二分に引き出すことができる。
【図面の簡単な説明】
【００２６】
【図１】番手と飛距離の関係を示すグラフ。
【図２】ＰＷより飛ばないゴルフクラブのヘッド形状を示す断面図。
【図３】飛ばない領域での番手と飛距離の関係と追加すべきゴルフクラブを示すグラフ。
【図４】従来のセットにおける番手と飛距離の関係を示すグラフ。
【符号の説明】
【００２７】
１    ヘッド本体
２    フェース面
３    リーディングエッジ
４    ボール
５    ソール面
６    円弧
７    フェース面に垂直な線分
８    フィレット部
Ａ    フィレット部の下端
Ｈ    幾何学的接触点の高さ
Ｈ´  フェース面の下方に延長された位置
Ｍ    下方に凹な面
Ｒ    ソール半径
【図１】
2007029257.tif 000005
【図２】
2007029257.tif 000006
【図３】
2007029257.tif 000007
【図４】
2007029257.tif 000008